(57)【特許請求の範囲】
【請求項１】
第１のセルグループを設定する第１の無線基地局と第２のセルグループを設定する第２の無線基地局とデュアルコネクティビティを利用して通信を行うユーザ端末であって、
各セルグループに対するサウンディング参照信号（ＳＲＳ）を送信する送信部と、
各セルグループに対するＳＲＳの送信電力を制御する制御部と、を有し、
前記制御部は、無線基地局の要求電力をＳＲＳの送信電力として割り当てられるか否かによって、各セルグループに対するＳＲＳ送信電力と、使用するＳＲＳ構成を決定することを特徴とするユーザ端末。
【請求項２】
前記制御部は、前記無線基地局の要求電力がＳＲＳの送信電力として割り当てられた場合には、第１のＳＲＳ構成を使用するよう決定し、前記無線基地局の要求電力がＳＲＳの送信電力として割り当てられなかった場合には、第２のＳＲＳ構成を使用するよう決定することを特徴とする請求項１に記載のユーザ端末。
【請求項３】
前記ＳＲＳ構成は、ＳＲＳ−ｃｏｍｂ、ＳＲＳ帯域幅、ＳＲＳ周波数位置またはＳＲＳサイクリックシフトのうち少なくとも１つを含むことを特徴とする請求項１または請求項２に記載のユーザ端末。
【請求項４】
前記制御部は、前記無線基地局の要求電力がＳＲＳの送信電力として割り当てられた場合には、前記要求電力でＳＲＳを送信するよう決定することを特徴とする請求項１から請求項３のいずれかに記載のユーザ端末。
【請求項５】
前記制御部は、前記無線基地局の要求電力がＳＲＳの送信電力として割り当てられなかった場合には、事前定義された送信電力でＳＲＳを送信するよう決定することを特徴とする請求項１から請求項４のいずれかに記載のユーザ端末。
【請求項６】
第１のセルグループを設定し、第２のセルグループを設定する他の無線基地局と共にデュアルコネクティビティを利用してユーザ端末と通信を行う無線基地局であって、
ユーザ端末から送信されるサウンディング参照信号（ＳＲＳ）を受信する受信部と、
前記ＳＲＳの要求電力を制御する制御部と、
少なくとも一つのセルグループに対して設定される保証送信電力に関する情報をユーザ端末に送信する送信部と、を有し、
前記受信部は、要求電力がＳＲＳの送信電力として割当てられたか否かによって、構成が異なるＳＲＳを受信することを特徴とする無線基地局。
【請求項７】
第１のセルグループを設定する第１の無線基地局と第２のセルグループを設定する第２の無線基地局とデュアルコネクティビティを利用して通信を行うユーザ端末の無線通信方法であって、
各セルグループに対するサウンディング参照信号（ＳＲＳ）の送信電力を決定する工程と、
各セルグループに対するＳＲＳの送信を行う工程と、を有し、
無線基地局の要求電力をＳＲＳの送信電力として割り当てられるか否かによって、各セルグループに対するＳＲＳ送信電力と、使用するＳＲＳ構成を決定することを特徴とする無線通信方法。
【発明の詳細な説明】
【技術分野】
【０００１】
本発明は、次世代移動通信システムにおけるユーザ端末、無線通信システムおよび無線通信方法に関する。
【背景技術】
【０００２】
ＵＭＴＳ（universal  mobile  telecommunications  system）ネットワークにおいて、さらなる高速データレート、低遅延などを目的としてロングタームエボリューション（ＬＴＥ：long  term  evolution）が仕様化された（非特許文献１）。
【０００３】
ＬＴＥではマルチアクセス方式として、下り回線（下りリンク）にＯＦＤＭＡ（orthogonal  frequency  division  multiple  access）をベースとした方式を用い、上り回線（上りリンク）にＳＣ−ＦＤＭＡ（single  carrier  frequency  division  multiple  access）をベースとした方式を用いている。
【０００４】
ＬＴＥからのさらなる広帯域化および高速化を目的として、たとえばＬＴＥアドバンストまたはＬＴＥエンハンスメントと呼ばれるＬＴＥの後継システムが検討され、ＬＴＥ  Ｒｅｌ．１０／１１として仕様化されている。
【０００５】
ＬＴＥ  Ｒｅｌ．１０／１１のシステム帯域は、ＬＴＥシステムのシステム帯域を一単位とする少なくとも１つのコンポーネントキャリア（ＣＣ：component  carrier）を含んでいる。このように、複数のＣＣを集めて広帯域化することをキャリアアグリゲーション（ＣＡ：carrier  aggregation）という。
【０００６】
ＬＴＥのさらなる後継システムであるＬＴＥ  Ｒｅｌ．１２においては、複数のセルが異なる周波数帯（キャリア）で用いられる様々なシナリオが検討されている。複数のセルを形成する無線基地局が実質的に同一の場合には、上述のキャリアアグリゲーションを適用可能である。一方、複数のセルを形成する無線基地局が完全に異なる場合には、デュアルコネクティビティ（ＤＣ：dual  connectivity）を適用することが考えられる。
【先行技術文献】
【非特許文献】
【０００７】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【０００８】
デュアルコネクティビティでは、サウンディング参照信号（ＳＲＳ：sounding  reference  signal）が他の上りリンク送信と同時送信となった場合に、無線基地局が、ユーザ端末がＳＲＳをドロッピングしたのか、またはＳＲＳにどれだけの送信電力を割り当てたのか、を把握することができない。
【０００９】
本発明はかかる点に鑑みてなされたものであり、デュアルコネクティビティにおいて、無線基地局が、ユーザ端末によるＳＲＳのドロッピングまたはパワースケーリングを適切に把握することができるユーザ端末、無線通信システムおよび無線通信方法を提供することを目的とする。
【課題を解決するための手段】
【００１０】
本発明のユーザ端末は、第１のセルグループを設定する第１の無線基地局と第２のセルグループを設定する第２の無線基地局とデュアルコネクティビティを利用して通信を行うユーザ端末であって、各セルグループに対するサウンディング参照信号（ＳＲＳ）を送信する送信部と、各セルグループに対するＳＲＳの送信電力を制御する制御部と、を有し、前記制御部は、無線基地局の要求電力をＳＲＳの送信電力として割り当てられるか否かによって、各セルグループに対するＳＲＳ送信電力と、使用するＳＲＳ構成を決定することを特徴とする。
【発明の効果】
【００１１】
本発明によれば、デュアルコネクティビティにおいて、無線基地局が、ユーザ端末によるＳＲＳのドロッピングまたはパワースケーリングを適切に把握することができる。
【図面の簡単な説明】
【００１２】
【図１】キャリアアグリゲーションにおけるＳＲＳ電力制御について説明する図である。
【図２】キャリアアグリゲーションにおけるＳＲＳ電力制御について説明する図である。
【図３】デュアルコネクティビティにおけるＳＲＳ電力制御について説明する図である。
【図４】送信コームについて説明する図である。
【図５】デュアルコネクティビティにおけるＳＲＳ電力制御について説明する図である。
【図６】デュアルコネクティビティにおけるＳＲＳ電力制御について説明する図である。
【図７】デュアルコネクティビティにおけるＳＲＳ電力制御について説明する図である。
【図８】デュアルコネクティビティにおけるＳＲＳ電力制御について説明する図である。
【図９】本実施の形態に係る無線通信システムの概略構成の一例を示す図である。
【図１０】本実施の形態に係る無線基地局の全体構成の一例を示す図である。
【図１１】本実施の形態に係る無線基地局の機能構成の一例を示す図である。
【図１２】本実施の形態に係るユーザ端末の全体構成の一例を示す図である。
【図１３】本実施の形態に係るユーザ端末の機能構成の一例を示す図である。
【発明を実施するための形態】
【００１３】
以下、本発明の実施の形態について、図面を参照して詳細に説明する。
最初に、ＬＴＥ  Ｒｅｌ．１１キャリアアグリゲーションにおける、サウンディング参照信号（ＳＲＳ：sounding  reference  signal）の電力制御について説明する。図１に示すように、ＳＲＳシンボルが、他のサービングセルのＰＵＳＣＨ（physical  uplink  shared  channel）、ＰＵＣＣＨ（physical  uplink  control  channel）またはＰＲＡＣＨ（physical  random  access  channel）と同時送信となり、シンボルの重複部分の合計送信電力がユーザ端末の許容最大送信電力Ｐｃｍａｘを超える場合、ユーザ端末はＳＲＳを欠落させる（ドロッピング）処理を行う。
【００１４】
ＬＴＥ  Ｒｅｌ．１１キャリアアグリゲーションにおいて、ＳＲＳシンボルが、他のサービングセルのＳＲＳと同時送信となり、シンボルの重複部分の合計送信電力がユーザ端末の許容最大送信電力Ｐｃｍａｘを超える場合、ユーザ端末はすべてのＳＲＳの送信電力を同一の係数によりスケールダウン（パワースケーリング）する。
【００１５】
キャリアアグリゲーションが適用される場合、１つのスケジューラが複数セルのスケジューリングを制御するため、無線基地局は、ユーザ端末によってＳＲＳがドロッピングされ得ること、またはパワースケーリングされ得ることを把握できる。
【００１６】
キャリアアグリゲーションが適用される場合、同一サービングセルの同一サブフレームにおいて、周期的なＳＲＳ（Ｐ（periodic）−ＳＲＳ）とＰＵＣＣＨフォーマット２／２ａ／２ｂの同時送信が発生したときは、ユーザ端末はＰ−ＳＲＳをドロッピングするよう規定されている（図２Ａ参照）。
【００１７】
キャリアアグリゲーションが適用される場合、同一サービングセルの同一サブフレームにおいて、非周期的なＳＲＳ（Ａ（aperiodic）−ＳＲＳ）とＰＵＣＣＨフォーマット２ａ／２ｂまたはＨＡＲＱ−ＡＣＫを伴うＰＵＣＣＨフォーマット２の同時送信が発生したときは、ユーザ端末はＡ−ＳＲＳをドロッピングするよう規定されている（図２Ｂ参照）。
【００１８】
キャリアアグリゲーションが適用される場合、同一サービングセルの同一サブフレームにおいて、Ａ−ＳＲＳとＨＡＲＱ−ＡＣＫを伴わないＰＵＣＣＨフォーマット２の同時送信が発生したときは、ユーザ端末はＨＡＲＱ−ＡＣＫを伴わないＰＵＣＣＨフォーマット２をドロッピングするよう規定されている（図２Ｃ参照）。
【００１９】
デュアルコネクティビティが適用される場合、複数のスケジューラが独立して設けられ、当該複数のスケジューラがそれぞれ管轄する１つ以上のセルのスケジューリングを制御する。具体的には、マスタ基地局（ＭｅＮＢ：master  eNB）の有するスケジューラがマスタセルグループ（ＭＣＧ：master  cell  group）に属するコンポーネントキャリアのスケジューリングを行う。また、セカンダリ基地局（ＳｅＮＢ：secondary  eNB）の有するスケジューラ）がセカンダリセルグループ（ＳＣＧ：secondary  cell  group）に属するコンポーネントキャリアのスケジューリングを行う。
【００２０】
デュアルコネクティビティでは、マスタ基地局とセカンダリ基地局は遅延の無視できない（〜数十μｓ）バックホールで接続されており、マスタセルグループとセカンダリセルグループのスケジューリング間では、サブフレーム長に相当するダイナミックな協調制御は不可能であることが想定されている。また、デュアルコネクティビティでは、マスタ基地局ＭｅＮＢとセカンダリ基地局ＳｅＮＢは一定の精度で同期しているケースと、同期を一切想定しないケースの２つの運用が可能となる。
【００２１】
以上のように、デュアルコネクティビティでは、マスタ基地局ＭｅＮＢもセカンダリ基地局ＳｅＮＢも、ユーザ端末に対し、自基地局がスケジューリングするセルグループの上りリンク制御（スケジューリング制御や送信電力制御など）を行うことができるものの、もう一方のセルグループではどのような上りリンク制御がなされているかを把握できない。ＳＲＳに関しては、あるセルグループにおけるＳＲＳ送信が他のセルグループのＰＲＡＣＨ／ＰＵＣＣＨ／ＰＵＳＣＨ／ＳＲＳ送信と同時送信となるかどうか、そして同時送信となる場合、ユーザ端末の送信電力が不足となるかどうかを把握することができない。したがって、各無線基地局は、ユーザ端末によってＳＲＳがどのように制御されるのかを把握できない。
【００２２】
より具体的には、各無線基地局は、ユーザ端末によってＳＲＳがドロッピングされるのか、またはＳＲＳに対してパワースケーリングが適用されるのか、といったことを把握することができない。ＳＲＳにいずれの制御が行われる場合であっても、各無線基地局は、ユーザ端末がどのような送信電力でＳＲＳを送信しているかを把握できない。ＳＲＳは、無線基地局で上りリンクのチャネル品質を測定するために用いられる。また、時分割多重（ＴＤＤ：time  division  duplex）においては、ＳＲＳは、下りリンクのチャネル品質測定にも利用される。以上より、ＳＲＳの送信電力が無線基地局の認識なしで変わってしまうと、その後のスケジューリング制御に悪影響を及ぼす可能性がある。
【００２３】
デュアルコネクティビティでは、少なくともＰＵＣＣＨ／ＰＵＳＣＨ送信に対して、セルグループごとの「保証送信電力（minimum  guaranteed  power）」という概念が導入される。マスタセルグループ（ＭＣＧ）の保証送信電力をＰＭｅＮＢ、セカンダリセルグループ（ＳＣＧ）の保証送信電力をＰＳｅＮＢとする。マスタ基地局ＭｅＮＢまたはセカンダリ基地局ＳｅＮＢは、ユーザ端末に対し、保証送信電力ＰＭｅＮＢとＰＳｅＮＢの両方、またはいずれか一方をＲＲＣ（radio  resource  control）など上位レイヤシグナリングにより通知する。
【００２４】
図３Ａにおいて、ＰＣＭＡＸはユーザ端末の許容最大送信電力を示し、ＰＭｅＮＢはマスタセルグループの保証送信電力を示し、ＰＳｅＮＢはセカンダリセルグループの保証送信電力を示している。
【００２５】
図３Ａにおいて、マスタ基地局ＭｅＮＢからＰＵＣＣＨ／ＰＵＳＣＨの送信がトリガされている。ユーザ端末がマスタセルグループ（ＭＣＧ）への送信電力を計算した結果、必要とされる送信電力（要求電力）はＰＭｅＮＢ，ｒｅｑｕｉｒｅｄである。
【００２６】
図３Ａにおいて、セカンダリ基地局ＳｅＮＢからＳＲＳの送信のみがトリガされている。ユーザ端末がセカンダリセルグループ（ＳＣＧ）への送信電力を計算した結果、必要とされる送信電力（要求電力）は、Ｐｓｒｓ，ｒｅｑｕｉｒｅｄである。
【００２７】
図３Ａに示す例では、マスタ基地局ＭｅＮＢから保証送信電力ＰＭｅＮＢを超える電力が要求され、セカンダリ基地局ＳｅＮＢから保証送信電力ＰＳｅＮＢを超える電力が要求されている。その結果、図３Ａに示す例では、両セルグループにおける全コンポーネントキャリアの送信電力の総和が、ユーザ端末の許容最大送信電力ＰＣＭＡＸを超えている。
【００２８】
一般に、チャネル品質測定に利用するＳＲＳよりも、実際のデータや制御情報を含むＰＵＣＣＨ／ＰＵＳＣＨに優先的に電力を割り当てることが望ましい。以下では、ユーザ端末は、ＳＲＳ送信よりも、ＰＵＣＣＨ／ＰＵＳＣＨ送信を優先して電力を割り当てるものと仮定する。ユーザ端末は、マスタセルグループに対して、当該要求電力を送信電力として割り当てる（ＰＭｅＮＢ，ａｌｌｏｃａｔｅｄ＝ＰＭｅＮＢ，ｒｅｑｕｉｒｅｄ）。ユーザ端末は、セカンダリセルグループに対して、ＳＲＳの送信電力のスケーリング（図３Ｂ参照）、または、ＳＲＳのドロッピング（図３Ｃ参照）を適用する。
【００２９】
図３Ｂに示す例では、ユーザ端末は、ユーザ端末の許容最大送信電力ＰＣＭＡＸからマスタセルグループの送信電力を減算して得られる余剰電力を、セカンダリセルグループに対するＳＲＳの送信電力として割り当てる（Ｐｓｒｓ，ａｌｌｏｃａｔｅｄ）。
【００３０】
図３Ｃに示す例では、ユーザ端末は、セカンダリセルグループに対して、ＳＲＳのドロッピングを適用する。
【００３１】
図３に示す例において、セカンダリ基地局ＳｅＮＢは、ユーザ端末が、ＳＲＳをドロッピングしたのか、またはパワースケーリングしてＳＲＳにどれだけの送信電力を割り当てたのか、を把握することができない。したがって、セカンダリ基地局ＳｅＮＢにおいてＳＩＮＲ（signal-to-interference  plus  noise  power  ratio）が低く見積もられ、ユーザ端末のスループットが劣化するという問題が生じる。
【００３２】
これに対して、本発明者らは、デュアルコネクティビティにおいて、無線基地局ＸｅＮＢ（マスタ基地局ＭｅＮＢまたはセカンダリ基地局ＳｅＮＢ）が正確なＳＲＳ送信電力を知ることができる構成を見出した。具体的には、本発明者らは、無線基地局ＸｅＮＢの要求電力がＳＲＳの送信電力として割り当てられるか否かによって、ユーザ端末が使用するＳＲＳ構成を決定する構成（第１の態様）、およびユーザ端末が使用するＳＲＳ送信電力を決定する構成（第２の態様）を見出した。
【００３３】
マスタ基地局ＭｅＮＢおよびセカンダリ基地局ＳｅＮＢが、正確なＳＲＳ送信電力を知ることができれば、パワースケーリングされたＳＲＳ送信電力に基づくＳＩＮＲ推定精度を向上することが可能となる。
【００３４】
（第１の態様）
ユーザ端末は、無線基地局ＸｅＮＢ（マスタ基地局ＭｅＮＢまたはセカンダリ基地局ＳｅＮＢ）の要求電力がＳＲＳの送信電力として割り当てられるか否かによって、使用するＳＲＳ構成（SRS  configuration）を決定する。ユーザ端末は、２つの異なるＳＲＳ構成を有している。これらのＳＲＳ構成は、無線基地局ＸｅＮＢによって設定またはシグナリングされてもよいし、仕様に規定されていてもよい。
【００３５】
ユーザ端末は、無線基地局ＸｅＮＢの要求電力がＳＲＳの送信電力として割り当てられた場合には、第１のＳＲＳ構成を使用する。ユーザ端末は、無線基地局ＸｅＮＢの要求電力がＳＲＳの送信電力として割り当てられなかった場合、たとえばパワースケーリングが行われた場合には、第２のＳＲＳ構成を使用する。無線基地局ＸｅＮＢは、ユーザ端末が第１のＳＲＳ構成または第２のＳＲＳ構成のいずれを使用したかを検出することにより、ＳＲＳが要求電力またはパワースケーリングされた送信電力のいずれで送信されたのかを把握できる。無線基地局ＸｅＮＢは、ＳＲＳが要求電力で送信されたかパワースケーリングされたかに基づき、たとえば、（１）要求電力で送信されたＳＲＳは詳細なチャネル品質測定に用い、（２）パワースケーリングされたＳＲＳは上り同期が保持されているか否かの判定に用いる、といった制御を行うことができる。
【００３６】
ＳＲＳ構成は、ＳＲＳ−ｃｏｍｂ、ＳＲＳ帯域幅、ＳＲＳ周波数位置またはＳＲＳサイクリックシフトのうち少なくとも１つを含むことができる。以下では、ＳＲＳ構成として、ＳＲＳ−ｃｏｍｂを用いる例について説明する。
【００３７】
送信コーム（ＴＣ：transmission  comb）のパラメータＫＴＣにより、暗黙的に、ＳＲＳがパワースケーリングされた送信電力で送信されているかどうかが示される。ＳＲＳがパワースケーリングされた送信電力で送信されていない場合、すなわちＳＲＳが要求電力で送信された場合、ユーザ端末は、ＫＴＣ＝１が割り当てられた奇数サブキャリアにおいてＳＲＳを送信する（図４Ａ参照）。ＳＲＳがパワースケーリングされた送信電力で送信された場合、ユーザ端末は、ＫＴＣ＝０が割り当てられた偶数サブキャリアにおいてＳＲＳを送信する（図４Ｂ参照）。無線基地局ＸｅＮＢは、パラメータＫＴＣ＝｛０，１｝を検出することにより、ＳＲＳが要求電力またはパワースケーリングされた送信電力のいずれで送信されたのかを把握できる。
【００３８】
パラメータＫＴＣ＝１およびＫＴＣ＝０両方からの受信電力が双方非常に低い場合には、無線基地局ＸｅＮＢは、ＳＲＳがドロッピングされたことを導くことができる。
【００３９】
（第２の態様）
ユーザ端末は、無線基地局ＸｅＮＢ（マスタ基地局ＭｅＮＢまたはセカンダリ基地局ＳｅＮＢ）の要求電力がＳＲＳの送信電力として割り当てられるか否かによって、使用するＳＲＳ送信電力を決定する。ユーザ端末は、無線基地局ＸｅＮＢの要求電力がＳＲＳの送信電力として割り当てられた場合、当該要求電力でＳＲＳを送信する。ユーザ端末は、無線基地局ＸｅＮＢの要求電力がＳＲＳの送信電力として割り当てられなかった場合、「事前定義された（predefined）送信電力」でＳＲＳを送信する。
【００４０】
ユーザ端末は、２つの異なる事前定義された送信電力を有している。
【００４１】
保証送信電力ＰＸｅＮＢをＳＲＳに適用できる場合、事前定義された送信電力は保証送信電力ＰＸｅＮＢである。当該保証送信電力ＰＸｅＮＢは、無線基地局ＸｅＮＢからＲＲＣで通知される。
【００４２】
保証送信電力ＰＸｅＮＢをＳＲＳに適用できない場合、事前定義された送信電力は固定値である目標最小受信ＳＲＳ電力ＰＸｅＮＢ，ｓｒｓ，ｍｉｎである。当該目標最小受信ＳＲＳ電力ＰＸｅＮＢ，ｓｒｓ，ｍｉｎは、無線基地局ＸｅＮＢからＲＲＣで通知されるか、仕様に規定される。
【００４３】
無線基地局が、要求電力がＳＲＳの送信電力として割り当てられたか検出するために、ユーザ端末が要求電力または事前定義された送信電力のいずれかを割り当てたかによって、異なるＳＲＳ構成が使われる。ＳＲＳ構成は、ＳＲＳ−ｃｏｍｂ、ＳＲＳ帯域幅、ＳＲＳ周波数位置またはＳＲＳサイクリックシフトのうち少なくとも１つを含むことができる。以下では、ＳＲＳ構成として、ＳＲＳ−ｃｏｍｂを用いる例について説明する。
【００４４】
送信コームのパラメータＫＴＣにより、暗黙的に、ＳＲＳが事前定義された送信電力で送信されているかどうかが示される。ＳＲＳが事前定義された送信電力で送信されていない場合、すなわちＳＲＳが要求電力で送信された場合、ユーザ端末は、ＫＴＣ＝１が割り当てられた奇数サブキャリアにおいてＳＲＳを送信する。ＳＲＳが事前定義された送信電力で送信された場合、ユーザ端末は、ＫＴＣ＝０が割り当てられた偶数サブキャリアにおいてＳＲＳを送信する。無線基地局ＸｅＮＢは、パラメータＫＴＣ＝｛０，１｝を検出することにより、ＳＲＳが要求電力または事前定義された送信電力のいずれで送信されたのかを把握できる。
【００４５】
第２の態様においては、事前定義された送信電力として、（１）保証送信電力ＰＭｅＮＢまたはＰＳｅＮＢをＳＲＳに適用できる場合、（２）保証送信電力ＰＭｅＮＢまたはＰＳｅＮＢをＳＲＳに適用できない場合、をそれぞれ考える。
【００４６】
（１）保証送信電力ＰＸｅＮＢをＳＲＳに適用できる場合には、ＳＲＳの要求送信電力が保証送信電力ＰＸｅＮＢ以下である限り（Ｐｓｒｓ，ｒｅｑｕｉｒｅｄ≦ＰＸｅＮＢ）、ユーザ端末はＳＲＳを当該要求電力で送信する。ＳＲＳの要求送信電力が保証送信電力ＰＸｅＮＢを超える場合には（Ｐｓｒｓ，ｒｅｑｕｉｒｅｄ＞ＰＸｅＮＢ）、ユーザ端末はＳＲＳの送信電力を事前定義された送信電力である保証送信電力ＰＸｅＮＢにパワースケーリングして、偶数サブキャリアでＳＲＳを送信する。
【００４７】
図５Ａにおいて、ＰＣＭＡＸはユーザ端末の許容最大送信電力を示し、ＰＭｅＮＢはマスタセルグループの保証送信電力を示し、ＰＳｅＮＢはセカンダリセルグループの保証送信電力を示している。
【００４８】
図５Ａにおいて、マスタ基地局ＭｅＮＢからＰＵＣＣＨ／ＰＵＳＣＨの送信がトリガされている。ユーザ端末がマスタセルグループ（ＭＣＧ）への送信電力を計算した結果、必要とされる送信電力（要求電力）はＰＭｅＮＢ，ｒｅｑｕｉｒｅｄである。
【００４９】
図５Ａにおいて、セカンダリ基地局ＳｅＮＢからＳＲＳの送信のみがトリガされている。ユーザ端末がセカンダリセルグループ（ＳＣＧ）への送信電力を計算した結果、必要とされる送信電力（要求電力）は、Ｐｓｒｓ，ｒｅｑｕｉｒｅｄである。
【００５０】
ユーザ端末は、ＳＲＳ送信よりも、ＰＵＣＣＨ／ＰＵＳＣＨ送信を優先する。したがって、ユーザ端末は、マスタセルグループに対しては要求電力を送信電力として割り当てる（ＰＭｅＮＢ，ａｌｌｏｃａｔｅｄ＝ＰＭｅＮＢ，ｒｅｑｕｉｒｅｄ）。セカンダリセルグループの要求電力Ｐｓｒｓ，ｒｅｑｕｉｒｅｄは、ユーザ端末の許容最大送信電力ＰＣＭＡＸからマスタセルグループの送信電力を減算して得られる余剰電力（Ｐｓｒｓ，ａｌｌｏｃａｔｅｄ）より大きく、かつ、保証送信電力ＰＳｅＮＢを超えている（Ｐｓｒｓ，ｒｅｑｕｉｒｅｄ＞Ｐｓｒｓ，ａｌｌｏｃａｔｅｄ≧ＰＳｅＮＢ）。
【００５１】
したがって、ユーザ端末は、セカンダリセルグループに対するＳＲＳの送信電力を保証送信電力ＰＳｅＮＢにパワースケーリングして（図５Ｂ参照）、偶数サブキャリアでＳＲＳを送信する。
【００５２】
セカンダリ基地局ＳｅＮＢは、偶数サブキャリアでＳＲＳを検出することにより、ＳＲＳがパワースケーリングされた送信電力で送信されていることを知る。その結果、次の式（１）より、受信ＳＩＮＲを推定することができる。
SINRscaled,i=f(Psrs,received,i)      （１）
ここで、ｉはセルグループ内のキャリアインデックスを示す。
【００５３】
換算係数αは、次の式（２）により、求めることができる。
【数１】
0005993422.tif 000002
ただし、０＜α＜１である。
【００５４】
次の式（３）により、ＳＩＮＲの値を補正することができる。
【数２】
0005993422.tif 000003
【００５５】
このようにＳＩＮＲｒｅａｌ，ｉの値を算出することにより、ユーザスループットを向上することができる。
【００５６】
（２）保証送信電力ＰＸｅＮＢをＳＲＳに適用できない場合には、ＳＲＳは最も低い優先度を有しているため、最初に他の上りリンク送信を確認する。そのため、ＳＲＳ送信を保証する条件を付けないと、頻繁なＳＲＳのドロッピングまたはパワースケーリングをもたらしてしまう（図６参照）。
【００５７】
図６Ａにおいて、ＰＣＭＡＸはユーザ端末の許容最大送信電力を示し、ＰＭｅＮＢはマスタセルグループの保証送信電力を示し、ＰＳｅＮＢはセカンダリセルグループの保証送信電力を示している。
【００５８】
図６Ａにおいて、マスタ基地局ＭｅＮＢからＰＵＣＣＨ／ＰＵＳＣＨの送信がトリガされている。ユーザ端末がマスタセルグループ（ＭＣＧ）への送信電力を計算した結果、必要とされる送信電力（要求電力）はＰＭｅＮＢ，ｒｅｑｕｉｒｅｄである。
【００５９】
図６Ａにおいて、セカンダリ基地局ＳｅＮＢからＳＲＳの送信のみがトリガされている。ユーザ端末がセカンダリセルグループ（ＳＣＧ）への送信電力を計算した結果、必要とされる送信電力（要求電力）は、Ｐｓｒｓ，ｒｅｑｕｉｒｅｄである。
【００６０】
ユーザ端末は、ＳＲＳ送信よりも、ＰＵＣＣＨ／ＰＵＳＣＨ送信を優先する。したがって、ユーザ端末は、マスタセルグループに対しては当該要求電力を送信電力として割り当てる（ＰＭｅＮＢ，ａｌｌｏｃａｔｅｄ＝ＰＭｅＮＢ，ｒｅｑｕｉｒｅｄ）。セカンダリセルグループの要求電力Ｐｓｒｓ，ｒｅｑｕｉｒｅｄは、ユーザ端末の許容最大送信電力ＰＣＭＡＸからマスタセルグループの送信電力を減算して得られる余剰電力（Ｐｓｒｓ，ａｌｌｏｃａｔｅｄ）を超えている。そのため、ユーザ端末は、ＳＲＳの送信電力のスケーリング（図６Ｂ参照）、または、ＳＲＳのドロッピング（図６Ｃ参照）を適用する。
【００６１】
図６Ｂに示す例では、ユーザ端末は、ユーザ端末の許容最大送信電力ＰＣＭＡＸからマスタセルグループの送信電力を減算して得られる余剰電力（Ｐｓｒｓ，ａｌｌｏｃａｔｅｄ）を、セカンダリセルグループに対するＳＲＳの送信電力として割り当てる（Ｐｓｒｓ，ａｌｌｏｃａｔｅｄ＝Ｐｒｅｍａｉｎ）。
【００６２】
図６Ｃに示す例では、ユーザ端末は、セカンダリセルグループに対して、ＳＲＳのドロッピングを適用する。
【００６３】
保証送信電力ＰＸｅＮＢをＳＲＳに適用できない場合であっても、効率的なＳＲＳの送信機会を増加させるために、事前定義された送信電力として固定値ＰＸｅＮＢ，ｓｒｓ，ｍｉｎを導入する。
【００６４】
無線基地局ＸｅＮＢは、最悪のチャネル条件に基づいて目標最小受信ＳＲＳ電力ＰＸｅＮＢ，ｓｒｓ，ｍｉｎを決定する。目標最小受信ＳＲＳ電力ＰＸｅＮＢ，ｓｒｓ，ｍｉｎの値は保証送信電力ＰＸｅＮＢ以下である（ＰＸｅＮＢ，ｓｒｓ，ｍｉｎ≦ＰＸｅＮＢ）。保証送信電力ＰＸｅＮＢは動的な値であり、目標最小受信ＳＲＳ電力ＰＸｅＮＢ，ｓｒｓ，ｍｉｎは固定値である。
【００６５】
ユーザ端末は、ＳＲＳの要求電力が余剰電力Ｐｒｅｍａｉｎより大きく、かつ、目標最小受信ＳＲＳ電力ＰＸｅＮＢ，ｓｒｓ，ｍｉｎを超える場合には（Ｐｓｒｓ，ｒｅｑｕｉｒｅｄ＞Ｐｒｅｍａｉｎ≧ＰＸｅＮＢ，ｓｒｓ，ｍｉｎ）、ＳＲＳの送信電力を事前定義された送信電力である目標最小受信ＳＲＳ電力ＰＸｅＮＢ，ｓｒｓ，ｍｉｎにパワースケーリングして、偶数サブキャリアでＳＲＳを送信する。
【００６６】
図７Ａにおいて、ＰＣＭＡＸはユーザ端末の許容最大送信電力を示し、ＰＭｅＮＢはマスタセルグループの保証送信電力を示し、ＰＳｅＮＢはセカンダリセルグループの保証送信電力を示している。
【００６７】
図７Ａにおいて、マスタ基地局ＭｅＮＢからＰＵＣＣＨ／ＰＵＳＣＨの送信がトリガされている。ユーザ端末がマスタセルグループ（ＭＣＧ）への送信電力を計算した結果、必要とされる送信電力（要求電力）はＰＭｅＮＢ，ｒｅｑｕｉｒｅｄである。
【００６８】
図７Ａにおいて、セカンダリ基地局ＳｅＮＢからＳＲＳの送信のみがトリガされている。ユーザ端末がセカンダリセルグループ（ＳＣＧ）への送信電力を計算した結果、必要とされる送信電力（要求電力）は、Ｐｓｒｓ，ｒｅｑｕｉｒｅｄである。
【００６９】
ユーザ端末は、ＳＲＳ送信よりも、ＰＵＣＣＨ／ＰＵＳＣＨ送信を優先する。したがって、ユーザ端末は、マスタセルグループに対しては当該要求電力を送信電力として割り当てる（ＰＭｅＮＢ，ａｌｌｏｃａｔｅｄ＝ＰＭｅＮＢ，ｒｅｑｕｉｒｅｄ）。セカンダリセルグループの要求電力Ｐｓｒｓ，ｒｅｑｕｉｒｅｄは、ユーザ端末の許容最大送信電力ＰＣＭＡＸからマスタセルグループの送信電力を減算して得られる余剰電力（Ｐｒｅｍａｉｎ）より大きく、かつ、目標最小受信ＳＲＳ電力ＰＳｅＮＢ，ｓｒｓ，ｍｉｎを超えている（Ｐｓｒｓ，ｒｅｑｕｉｒｅｄ＞Ｐｒｅｍａｉｎ≧ＰＳｅＮＢ，ｓｒｓ，ｍｉｎ）。
【００７０】
したがって、ユーザ端末は、セカンダリセルグループに対するＳＲＳの送信電力を目標最小受信ＳＲＳ電力ＰＳｅＮＢ，ｓｒｓ，ｍｉｎにパワースケーリングして（図７Ｂ参照）、偶数サブキャリアでＳＲＳを送信する。
【００７１】
セカンダリ基地局ＳｅＮＢは、偶数サブキャリアでＳＲＳを検出することにより、ＳＲＳが事前定義された送信電力である目標最小受信ＳＲＳ電力ＰＸｅＮＢ，ｓｒｓ，ｍｉｎにパワースケーリングされて送信されていることを知る。その結果、次の式（４）より、受信ＳＩＮＲを推定することができる。
SINRscaled,i=f(Psrs,received,i)      （４）
ここで、ｉはセルグループ内のキャリアインデックスを示す。
【００７２】
換算係数αは、次の式（５）により、求めることができる。
【数３】
0005993422.tif 000004
ただし、０＜α＜１である。
【００７３】
次の式（６）により、ＳＩＮＲの値を補正することができる。
【数４】
0005993422.tif 000005
【００７４】
このようにＳＩＮＲｒｅａｌ，ｉの値を算出することにより、ユーザスループットを向上することができる。
【００７５】
ユーザ端末は、余剰電力Ｐｒｅｍａｉｎが目標最小受信ＳＲＳ電力ＰＸｅＮＢ，ｓｒｓ，ｍｉｎより小さい場合には（Ｐｒｅｍａｉｎ＜ＰＸｅＮＢ，ｓｒｓ，ｍｉｎ）、ＳＲＳをドロッピングする。
【００７６】
図８Ａにおいて、ＰＣＭＡＸはユーザ端末の許容最大送信電力を示し、ＰＭｅＮＢはマスタセルグループの保証送信電力を示し、ＰＳｅＮＢはセカンダリセルグループの保証送信電力を示している。
【００７７】
図８Ａにおいて、マスタ基地局ＭｅＮＢからＰＵＣＣＨ／ＰＵＳＣＨの送信がトリガされている。ユーザ端末がマスタセルグループ（ＭＣＧ）への送信電力を計算した結果、必要とされる送信電力（要求電力）はＰＭｅＮＢ，ｒｅｑｕｉｒｅｄである。
【００７８】
図８Ａにおいて、セカンダリ基地局ＳｅＮＢからＳＲＳの送信のみがトリガされている。ユーザ端末がセカンダリセルグループ（ＳＣＧ）への送信電力を計算した結果、必要とされる送信電力（要求電力）は、Ｐｓｒｓ，ｒｅｑｕｉｒｅｄである。
【００７９】
ユーザ端末は、ＳＲＳ送信よりも、ＰＵＣＣＨ／ＰＵＳＣＨ送信を優先する。したがって、ユーザ端末は、マスタセルグループに対しては当該要求電力を送信電力として割り当てる（ＰＭｅＮＢ，ａｌｌｏｃａｔｅｄ＝ＰＭｅＮＢ，ｒｅｑｕｉｒｅｄ）。ユーザ端末の許容最大送信電力ＰＣＭＡＸからマスタセルグループの送信電力を減算して得られる余剰電力（Ｐｒｅｍａｉｎ）は、目標最小受信ＳＲＳ電力ＰＳｅＮＢ，ｓｒｓ，ｍｉｎより小さい（Ｐｒｅｍａｉｎ＜ＰＳｅＮＢ，ｓｒｓ，ｍｉｎ）。
【００８０】
したがって、ユーザ端末は、ＳＲＳをドロッピングする（図８Ｂ参照）。
【００８１】
セカンダリ基地局ＳｅＮＢは、偶数および奇数のサブキャリア両方のＳＲＳ受信電力が双方非常に低い場合、ＳＲＳはドロッピングされたと推定する。この場合、セカンダリ基地局ＳｅＮＢは、ユーザ端末に対して、前のＳＩＮＲに基づいてスケジューリングするか、または保守的な変調符号化方式（ＭＣＳ：modulation  and  coding  set）でスケジューリングする。
【００８２】
ＬＴＥ  Ｒｅｌ．１１キャリアアグリゲーションにおいて、非周期的なＳＲＳ（Ａ−ＳＲＳ）は周期的なチャネル状態情報（ＣＳＩ：channel  state  information）より優先度が高い。周期的なＳＲＳ（Ｐ−ＳＲＳ）は最も優先度が低い。したがって、非周期的なＳＲＳ（Ａ−ＳＲＳ）に対して保証送信電力ＰＸｅＮＢを適用し、周期的なＳＲＳ（Ｐ−ＳＲＳ）に対して保証送信電力ＰＸｅＮＢを適用しないことは合理的である。そのため、非周期的なＳＲＳ（Ａ−ＳＲＳ）の電力制御に対しては、第１の態様および第２の態様（１、事前定義された送信電力として保証送信電力ＰＸｅＮＢをＳＲＳに適用する）を適用することが好ましい。周期的なＳＲＳ（Ｐ−ＳＲＳ）の電力制御に対しては、第１の態様および第２の態様（２、事前定義された送信電力として保証送信電力ＰＸｅＮＢをＳＲＳに適用しない）を適用することが好ましい。
【００８３】
（無線通信システムの構成）
以下、本実施の形態に係る無線通信システムの構成について説明する。この無線通信システムでは、上述の電力制御を行う無線通信方法が適用される。
【００８４】
図９は、本実施の形態に係る無線通信システムの一例を示す概略構成図である。図９に示すように、無線通信システム１は、複数の無線基地局１０（１１および１２）と、各無線基地局１０によって形成されるセル内にあり、各無線基地局１０と通信可能に構成された複数のユーザ端末２０と、を備えている。無線基地局１０は、それぞれ上位局装置３０に接続され、上位局装置３０を介してコアネットワーク４０に接続される。
【００８５】
図９において、無線基地局１１は、たとえば相対的に広いカバレッジを有するマクロ基地局で構成され、マクロセルＣ１を形成する。無線基地局１２は、局所的なカバレッジを有するスモール基地局で構成され、スモールセルＣ２を形成する。なお、無線基地局１１および１２の数は、図９に示す数に限られない。
【００８６】
マクロセルＣ１およびスモールセルＣ２では、同一の周波数帯が用いられてもよいし、異なる周波数帯が用いられてもよい。また、無線基地局１１および１２は、基地局間インタフェース（たとえば、光ファイバ、Ｘ２インタフェース）を介して互いに接続される。
【００８７】
無線基地局１１と無線基地局１２との間、無線基地局１１と他の無線基地局１１との間または無線基地局１２と他の無線基地局１２との間では、デュアルコネクティビティ（ＤＣ）またはキャリアアグリゲーション（ＣＡ）が適用される。
【００８８】
ユーザ端末２０は、ＬＴＥ、ＬＴＥ−Ａなどの各種通信方式に対応した端末であり、移動通信端末だけでなく固定通信端末を含んでいてもよい。ユーザ端末２０は、無線基地局１０を経由して他のユーザ端末２０と通信を実行できる。
【００８９】
上位局装置３０には、たとえば、アクセスゲートウェイ装置、無線ネットワークコントローラ（ＲＮＣ）、モビリティマネジメントエンティティ（ＭＭＥ）等が含まれるが、これに限定されるものではない。
【００９０】
無線通信システム１では、下りリンクのチャネルとして、各ユーザ端末２０で共有される下り共有チャネル（ＰＤＳＣＨ：physical  downlink  shared  channel）、下り制御チャネル（ＰＤＣＣＨ：Physical  downlink  control  channel、ＥＰＤＣＣＨ：enhanced  physical  downlink  control  channel）、報知チャネル（ＰＢＣＨ：physical  broadcast  channel）などが用いられる。ＰＤＳＣＨにより、ユーザデータや上位レイヤ制御情報、所定のＳＩＢ（system  information  block）が伝送される。ＰＤＣＣＨ、ＥＰＤＣＣＨにより、下り制御情報（ＤＣＩ：downlink  control  information）が伝送される。
【００９１】
無線通信システム１では、上りリンクのチャネルとして、各ユーザ端末２０で共有される上り共有チャネル（ＰＵＳＣＨ：physical  uplink  shared  channel）、上り制御チャネル（ＰＵＣＣＨ：physical  uplink  control  channel）などが用いられる。ＰＵＳＣＨにより、ユーザデータや上位レイヤ制御情報が伝送される。
【００９２】
図１０は、本実施の形態に係る無線基地局１０の全体構成図である。図１０に示すように、無線基地局１０は、ＭＩＭＯ（multiple-input  and  multiple-output）伝送のための複数の送受信アンテナ１０１と、アンプ部１０２と、送受信部（送信部および受信部）１０３と、ベースバンド信号処理部１０４と、呼処理部１０５と、インタフェース部１０６とを備えている。
【００９３】
下りリンクにより無線基地局１０からユーザ端末２０に送信されるユーザデータは、上位局装置３０からインタフェース部１０６を介してベースバンド信号処理部１０４に入力される。
【００９４】
ベースバンド信号処理部１０４では、ＰＤＣＰ（packet  data  convergence  protocol）レイヤの処理、ユーザデータの分割・結合、ＲＬＣ（radio  link  control）再送制御の送信処理などのＲＬＣレイヤの送信処理、ＭＡＣ（medium  access  control）再送制御、たとえば、ＨＡＲＱ（hybrid  automatic  repeat  request）の送信処理、スケジューリング、伝送フォーマット選択、チャネル符号化、逆高速フーリエ変換（ＩＦＦＴ：inverse  fast  fourier  transform）処理、プリコーディング処理が行われて各送受信部１０３に転送される。また、下り制御信号に関しても、チャネル符号化や逆高速フーリエ変換等の送信処理が行われて、各送受信部１０３に転送される。
【００９５】
各送受信部１０３は、ベースバンド信号処理部１０４からアンテナごとにプリコーディングして出力された下り信号を無線周波数帯に変換する。アンプ部１０２は、周波数変換された無線周波数信号を増幅して送受信アンテナ１０１により送信する。送受信部１０３には、本発明に係る技術分野での共通認識に基づいて説明されるトランスミッタ／レシーバ、送受信回路または送受信装置を適用できる。
【００９６】
一方、上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００９７】
ベースバンド信号処理部１０４では、入力された上り信号に含まれるユーザデータに対して、高速フーリエ変換（ＦＦＴ：fast  fourier  transform）処理、逆離散フーリエ変換（ＩＤＦＴ：inverse  discrete  fourier  transform）処理、誤り訂正復号、ＭＡＣ再送制御の受信処理、ＲＬＣレイヤ、ＰＤＣＰレイヤの受信処理がなされ、インタフェース部１０６を介して上位局装置３０に転送される。呼処理部１０５は、通信チャネルの設定や解放などの呼処理や、無線基地局１０の状態管理や、無線リソースの管理を行う。
【００９８】
インタフェース部１０６は、基地局間インタフェース（たとえば、光ファイバ、Ｘ２インタフェース）を介して隣接無線基地局と信号を送受信（バックホールシグナリング）する。あるいは、インタフェース部１０６は、所定のインタフェースを介して、上位局装置３０と信号を送受信する。
【００９９】
図１１は、本実施の形態に係る無線基地局１０が有するベースバンド信号処理部１０４の主な機能構成図である。図１１に示すように、無線基地局１０が有するベースバンド信号処理部１０４は、制御部３０１と、下り制御信号生成部３０２と、下りデータ信号生成部３０３と、マッピング部３０４と、デマッピング部３０５と、チャネル推定部３０６と、上り制御信号復号部３０７と、上りデータ信号復号部３０８と、判定部３０９と、を少なくとも含んで構成されている。
【０１００】
制御部３０１は、ＰＤＳＣＨで送信される下りユーザデータ、ＰＤＣＣＨと拡張ＰＤＣＣＨ（ＥＰＤＣＣＨ）の両方、またはいずれか一方で伝送される下り制御情報、下り参照信号などのスケジューリングを制御する。また、制御部３０１は、ＰＲＡＣＨで伝送されるＲＡプリアンブル、ＰＵＳＣＨで伝送される上りデータ、ＰＵＣＣＨまたはＰＵＳＣＨで伝送される上り制御情報、上り参照信号のスケジューリングの制御（割り当て制御）も行う。上りリンク信号（上り制御信号、上りユーザデータ）の割り当て制御に関する情報は、下り制御信号（ＤＣＩ）を用いてユーザ端末２０に通知される。
【０１０１】
制御部３０１は、上位局装置３０からの指示情報や各ユーザ端末２０からのフィードバック情報に基づいて、下りリンク信号および上りリンク信号に対する無線リソースの割り当てを制御する。つまり、制御部３０１は、スケジューラとしての機能を有している。制御部３０１には、本発明に係る技術分野での共通認識に基づいて説明されるコントローラ、制御回路または制御装置を適用できる。
【０１０２】
下り制御信号生成部３０２は、制御部３０１により割り当てが決定された下り制御信号（ＰＤＣＣＨ信号とＥＰＤＣＣＨ信号の両方、またはいずれか一方）を生成する。具体的に、下り制御信号生成部３０２は、制御部３０１からの指示に基づいて、下りリンク信号の割り当て情報を通知する下りリンクアサインメントと、上りリンク信号の割り当て情報を通知する上りリンクグラントを生成する。下り制御信号生成部３０２には、本発明に係る技術分野での共通認識に基づいて説明される信号生成器または信号生成回路を適用できる。
【０１０３】
下りデータ信号生成部３０３は、制御部３０１によりリソースへの割り当てが決定された下りデータ信号（ＰＤＳＣＨ信号）を生成する。下りデータ信号生成部３０３により生成されるデータ信号には、各ユーザ端末２０からのＣＳＩ等に基づいて決定された符号化率、変調方式に従って符号化処理、変調処理が行われる。
【０１０４】
マッピング部３０４は、制御部３０１からの指示に基づいて、下り制御信号生成部３０２で生成された下り制御信号と、下りデータ信号生成部３０３で生成された下りデータ信号の無線リソースへの割り当てを制御する。マッピング部３０４には、本発明に係る技術分野での共通認識に基づいて説明されるマッピング回路またはマッパーを適用できる。
【０１０５】
デマッピング部３０５は、ユーザ端末２０から送信された上りリンク信号をデマッピングして、上りリンク信号を分離する。チャネル推定部３０６は、デマッピング部３０５で分離された受信信号に含まれる参照信号からチャネル状態を推定し、推定したチャネル状態を上り制御信号復号部３０７、上りデータ信号復号部３０８に出力する。
【０１０６】
上り制御信号復号部３０７は、上り制御チャネル（ＰＲＡＣＨ，ＰＵＣＣＨ）でユーザ端末から送信されたフィードバック信号（送達確認信号等）を復号し、制御部３０１へ出力する。上りデータ信号復号部３０８は、上り共有チャネル（ＰＵＳＣＨ）でユーザ端末から送信された上りデータ信号を復号し、判定部３０９へ出力する。判定部３０９は、上りデータ信号復号部３０８の復号結果に基づいて、再送制御判定（Ａ／Ｎ判定）を行うとともに結果を制御部３０１に出力する。
【０１０７】
図１２は、本実施の形態に係るユーザ端末２０の全体構成図である。図１２に示すように、ユーザ端末２０は、ＭＩＭＯ伝送のための複数の送受信アンテナ２０１と、アンプ部２０２と、送受信部（送信部および受信部）２０３と、ベースバンド信号処理部２０４と、アプリケーション部２０５と、を備えている。
【０１０８】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理などがなされる。この下りリンクのデータのうち、下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。送受信部２０３には、本発明に係る技術分野での共通認識に基づいて説明されるトランスミッタ／レシーバ、送受信回路または送受信装置を適用できる。
【０１０９】
一方、上りリンクのユーザデータについては、アプリケーション部２０５からベースバンド信号処理部２０４に入力される。ベースバンド信号処理部２０４では、再送制御（ＨＡＲＱ）の送信処理や、チャネル符号化、プリコーディング、離散フーリエ変換（ＤＦＴ）処理、逆高速フーリエ変換（ＩＦＦＴ）処理などが行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【０１１０】
図１３は、ユーザ端末２０が有するベースバンド信号処理部２０４の主な機能構成図である。図１３に示すように、ユーザ端末２０が有するベースバンド信号処理部２０４は、制御部４０１と、上り制御信号生成部４０２と、上りデータ信号生成部４０３と、マッピング部４０４と、デマッピング部４０５と、チャネル推定部４０６と、下り制御信号復号部４０７と、下りデータ信号復号部４０８と、判定部４０９と、を少なくとも含んで構成されている。
【０１１１】
制御部４０１は、無線基地局１０から送信された下り制御信号（ＰＤＣＣＨ信号）や、受信したＰＤＳＣＨ信号に対する再送制御判定結果に基づいて、上り制御信号（Ａ／Ｎ信号等）や上りデータ信号の生成を制御する。無線基地局から受信した下り制御信号は下り制御信号復号部４０７から出力され、再送制御判定結果は、判定部４０９から出力される。制御部４０１には、本発明に係る技術分野での共通認識に基づいて説明されるコントローラ、制御回路または制御装置が適用される。
【０１１２】
制御部４０１は、無線基地局１０の要求電力をサウンディング参照信号（ＳＲＳ）の送信電力として割り当てられるか否かによって、使用するＳＲＳ構成とＳＲＳ送信電力の両方、またはいずれか一方を決定する。たとえば、制御部４０１は、無線基地局１０の要求電力がＳＲＳの送信電力として割り当てられた場合には、第１のＳＲＳ構成を使用するよう決定し、無線基地局１０の要求電力がＳＲＳの送信電力として割り当てられなかった場合には、第２のＳＲＳ構成を使用するよう決定する。また、制御部４０１は、無線基地局１０の要求電力がＳＲＳの送信電力として割り当てられた場合には、要求電力でＳＲＳを送信するよう決定し、無線基地局１０の要求電力がＳＲＳの送信電力として割り当てられなかった場合には、事前定義された送信電力でＳＲＳを送信するよう決定する。
【０１１３】
上り制御信号生成部４０２は、制御部４０１からの指示に基づいて上り制御信号（送達確認信号やチャネル状態情報（ＣＳＩ）等のフィードバック信号）を生成する。上りデータ信号生成部４０３は、制御部４０１からの指示に基づいて上りデータ信号を生成する。なお、制御部４０１は、無線基地局から通知される下り制御信号に上りリンクグラントが含まれている場合に、上りデータ信号生成部４０３に上りデータ信号の生成を指示する。上り制御信号生成部４０２には、本発明に係る技術分野での共通認識に基づいて説明される信号生成器または信号生成回路を適用できる。
【０１１４】
マッピング部４０４は、制御部４０１からの指示に基づいて、上り制御信号（送達確認信号等）と、上りデータ信号の無線リソース（ＰＵＣＣＨ、ＰＵＳＣＨ）への割り当てを制御する。
【０１１５】
デマッピング部４０５は、無線基地局１０から送信された下りリンク信号をデマッピングして、下りリンク信号を分離する。チャネル推定部４０６は、デマッピング部４０５で分離された受信信号に含まれる参照信号からチャネル状態を推定し、推定したチャネル状態を下り制御信号復号部４０７、下りデータ信号復号部４０８に出力する。
【０１１６】
下り制御信号復号部４０７は、下り制御チャネル（ＰＤＣＣＨ）で送信された下り制御信号（ＰＤＣＣＨ信号）を復号し、スケジューリング情報（上りリソースへの割り当て情報）を制御部４０１へ出力する。また、下り制御信号に送達確認信号をフィードバックするセルに関する情報や、ＲＦ調整の適用有無に関する情報が含まれている場合も、制御部４０１へ出力する。
【０１１７】
下りデータ信号復号部４０８は、下り共有チャネル（ＰＤＳＣＨ）で送信された下りデータ信号を復号し、判定部４０９へ出力する。判定部４０９は、下りデータ信号復号部４０８の復号結果に基づいて、再送制御判定（Ａ／Ｎ判定）を行うとともに、結果を制御部４０１に出力する。
【０１１８】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【符号の説明】
【０１１９】
１…無線通信システム
１０，１１，１２…無線基地局
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…インタフェース部
２０１…送受信アンテナ
２０２…アンプ部
２０３…送受信部
２０４…ベースバンド信号処理部
２０５…アプリケーション部
３０１…制御部（スケジューラ）
３０２…下り制御信号生成部
３０３…下りデータ信号生成部
３０４…マッピング部
３０５…デマッピング部
３０６…チャネル推定部
３０７…上り制御信号復号部
３０８…上りデータ信号復号部
３０９…判定部
４０１…制御部
４０２…上り制御信号生成部
４０３…上りデータ信号生成部
４０４…マッピング部
４０５…デマッピング部
４０６…チャネル推定部
４０７…下り制御信号復号部
４０８…下りデータ信号復号部
４０９…判定部
【図１】
0005993422.tif 000006
【図２】
0005993422.tif 000007
【図３】
0005993422.tif 000008
【図４】
0005993422.tif 000009
【図５】
0005993422.tif 000010
【図６】
0005993422.tif 000011
【図７】
0005993422.tif 000012
【図８】
0005993422.tif 000013
【図９】
0005993422.tif 000014
【図１０】
0005993422.tif 000015
【図１１】
0005993422.tif 000016
【図１２】
0005993422.tif 000017
【図１３】
0005993422.tif 000018